(57)【要約】      （修正有）【課題】日頃使用されている多くの自動洗車機は、門型の自走式で、運転手は中での待機もしくは外に待機し、終わり次第移動する形が主流である。しかし、人が外で待機中に移動してきた洗車機と接触し事故になること、車体の大きさ問わず料金が変動しないこと、稼働中の機械音が近所迷惑になるという問題点があった【解決手段】車体５全体を覆う箱型の自動洗車機にし、出入り口へシャッター２を設置、水漏れ、騒音を防ぎ、ディスプレイを内側に設置して、利用者が外に出ず操作することが出来、外側ディスプレイ３−１には、空いているスペースへ広告掲載、非常時は警報を示すことが出来る箱型自動洗車機を見出した。【選択図】図１
2011126428.tif 000002
【特許請求の範囲】
【請求項１】
本発明は少なくとも以下の（１）〜（１２）の要件；
（１） 箱型本体
（２） 開閉シャッター
（３） ディスプレイ
（４） スピーカー
（５） 回転ブラシ
（６） 車両長短高低センサー
（７） シャワーノズル
（８） 車幅センサー
（９） プロジェクター
（１０） 車両監視カメラ
本体映像配信サーバーからの情報を受信する機能を有し、
（１１）    映像受信装置
（１２）    映像取り込み装置
（１３）    映像再生装置
を有することを特徴とするアドエコ箱型自動洗車機。
【請求項２】
請求項１の本体及び開閉シャッターは、一部が透明もしくは半透明の部分を有し、外側から車両を確認することが出来、車内の運転手へ閉鎖的苦痛を与えないことを特徴とする請求項１のアドエコ箱型自動洗車機。
【請求項３】
請求項１のディスプレイは防水効果、無反射保護フィルム等用途に応じて使用を選択変更することが出来、モニターはタッチパネル表示が可能で操作パネル、広告を同時もしくはどちらか一方を表示することが可能であり、大きさは目的によって変更することができることを特徴とする請求項１のアドエコ箱型自動洗車機。
【請求項４】
請求項３のディスプレイ画面には、料金システム、車両認識、車両使用履歴表示、洗車選択、シャッター開閉ボタン等を有し、非常時には外へ異常を発することを特徴とする請求項１もしくは３のいずれかのアドエコ箱型自動洗車機。
【請求項５】
本発明のアドエコ箱型自動洗車機は、情報センターとインターネット等の通信ネットワークにより通信が可能であり、該情報センターが有する映像配信サーバーから配信される映像情報請求項１に記載の映像受信装置により受信し、該情報を映像再生装置により再生するほか、ＵＳＢやＤＶＤ等に保存された情報を再生する再生装置などを併設した映像再生装置により再生することが可能であることを特徴とする請求項１に記載のアドエコ箱型自動洗車機。
【発明の詳細な説明】
【技術分野】
【０００１】
本発明は、箱型自動洗車機に関する。さらに詳しくは、箱型にし、出入り口にシャッターを備え、内側ディスプレイを備え庫内にて乗り降りせず操作を行い、外側ディスプレイにて広告表示出来る箱型自動洗車機に関する。
【背景技術】
【０００２】
日頃使用されている多くの自動洗車機は、門型の自走式で、運転手は中での待機もしくは外に待機し、終わり次第移動する形が主流である。しかし、人が外で待機中に移動してきた洗車機と接触し事故になること、車体の大きさ問わず料金が変動しないこと、稼働中の機械音が近所迷惑になるという問題点があった。
【発明の概要】
【発明が解決しようとする課題】
【０００３】
以上の事実を鑑み、本発明者らは、自動洗車機の本体を箱型にし、前後にシャッターを設置することで近所への騒音、人と機械の接触を防ぎ、車体の大きさに合わせ水量を調整し、資源の無駄使いを抑える箱側自動洗車機を提供することを課題とした。
【課題を解決するための手段】
【０００４】
本発明者らは、上記の課題を解決するために、車体全体を覆う箱型の自動洗車機にし、出入り口へシャッターを設置、水漏れ、騒音を防ぎ、ディスプレイを内側に設置して、利用者が外に出ず操作することが出来、外側ディスプレイには、空いているスペースへ広告掲載、非常時は警報を示すことが出来る箱型自動洗車機を見出した。
【発明の効果】
【０００５】
箱型にすることで、人が洗車機と接触することを防止することが出来、洗車時の水滴、騒音を防止し近隣トラブルを回避することが出来る。車体の大きさによって水量を調整することで、資源の無駄遣いを防止することが出来る。又、従来操作のみとしての役割であったディスプレイが、広告宣伝を行うことにより、自動洗車機の所有者は広告主より収入を得ることができる。従来活用されていなかった資源が利益を生むことになり、経済活動に貢献することになる。ひいては、その利益の一部により諸料金引き下げやサービス内容充実が実現する等、利用者に還元される場合もある。
【図面の簡単な説明】
【０００６】
【図１】本発明の一実施形態の外側側面図である。
【図２】本発明の一実施形態の正面図である。
【図３】本発明の一実施形態の内側側面図である。
【図４】本発明の一実施形態のフローチャートである。
【発明を実施するための形態】
【０００７】
以下、図を用いて本発明の実施形態について説明する。なお、本発明は下記実施形態に限定されるものではなく、本発明の趣旨を逸脱しない範囲において当業者が行いうる変更、改良を施した種々の形態について実施することができる。まず、装置全体の概略構成について説明すると、本発明は図１の外側側面図が示すように、箱型本体１の両端にシャッター２を備え、ディスプレイ３、スピーカー４から構成される。本体1に関して説明すると、外から中が一部見えるよう半透明な部分を有し外から車両があることが分かるようにすることを特徴とする。シャッター２に関して説明すると、シャッター２は透明もしくは半透明のものを使用し、庫内の利用者が閉鎖的にならないようすることを特徴とする。ディスプレイ３−１に関して説明すると大きさは問わず薄型のものを使用し、防水加工したものを使用することを特徴とする。スピーカー４に関して説明すると、ディスプレイと連動しており、広告の音声を流し、庫内にて異常があった際サイレンを鳴らして周囲へ連絡することが出来ることを特徴とする。
【０００８】
図２は本体の正面図である。図２に関して説明すると上部回転ブラシ６を、側面回転ブラシ７を有し、本体上部には車幅センサー８、車両監視カメラ９を有し、車両の大きさに合わせて回転ブラシが洗車を行うことを特徴とする。車両監視カメラ９に関してさらに詳しく説明すると、入庫時に車のナンバーを確認し即時に情報センターへ情報を転送することが出来ることを特徴とする。
【０００９】
図３は内部側面図である。図３に関して説明すると内側ディスプレイ３−２を有し、車内から座ったままディスプレイのタッチパネルにて操作が出来、側面の両サイドには、車両長短高低センサー９、シャワーノズル１０を有し、車両の大きさにより使用する商材の量を調整することが出来ることを特徴とする。図していないが、洗車時に必要なシャンプー、ワックス、コーティング、風圧の設備も完備することを特徴とする。
【００１０】
前記の内蔵ディスプレイ３−２に関してさらに詳しく説明する。内蔵ディスプレイ３−２は防水加工を施し、情報センターからの映像を受信、取り込み再生装置を完備し、モニターには洗車機の操作方法が表示されタッチパネルにて操作出来、料金徴収機能、空いているスペースへ広告を表示することが出来ることを特徴とする。
【００１１】
図していないが、内側上部にプロジェクターを有し、洗車機稼働中に運転席前方の正面シャッターに映し出し、広告情報等を放映することが出来ることを特徴とする。
【００１２】
図４は情報センターとのつながりを指し示すフローチャートである。情報センター１１、ディスプレイ３−１、３−２は、インターネット等の通信ネットワーク１２により通信が可能であることを特徴とする。情報センター１１に関して説明すると、情報センター１１は映像配信サーバー１１−１を有する。ディスプレイ３−１、３−２に関して説明すると、ディスプレイ３−１、３−２は、インターネットを介する映像受信装置３０１と映像取り込み装置３０２と映像再生装置３０３とモニター３０４を有する。モニター３０４に関して説明すると操作表示部分３０４−ａと広告映像表示部分３０４−ｂを有する。
【００１３】
上記記載の操作表示部分３０４−ａに関してさらに詳しく説明する。操作表示部分には料金支払、車両認識、車両使用履歴表示、洗車選択、シャッター開閉ボタンを有し、タッチパネルにて表示が出来、料金支払は電子マネー対応も可能であり、車体の種類（大きさ）により料金の変更をすることが出来ることを特徴とする。
【符号の説明】
【００１４】
１  箱型本体
２  開閉シャッター
３  ディスプレイ
３−１外側ディスプレイ
３−２内側ディスプレイ
３０１映像受信装置
３０２映像取り込み装置
３０３映像再生装置
３０４モニター
３０４−ａ操作表示部分
３０４−ｂ広告映像表示部分
４  スピーカー
５  車両
６  上部回転ブラシ    
７  側部回転ブラシ
８  車幅センサー
９  車両監視カメラ
１０  車両長短高低センサー
１１  シャワーノズル
１２  情報センター
１１−１映像配信サーバー
１３  配信ネットワーク
【図１】
2011126428.tif 000003
【図２】
2011126428.tif 000004
【図３】
2011126428.tif 000005
【図４】
2011126428.tif 000006